(57)【要約】【課題】自然降雨による水を溜めつつ、常時適正水量で廃棄物埋立地内に供給する。【解決手段】廃棄物処分場１０において、埋立完了した廃棄物１４の上面を覆う所定厚み、かつ所定透水係数の浸透調節層１６と、浸透調節層１６上に設置された雨水貯留槽２０と、貯留槽２０上を覆う最終覆土層２２とを備え、貯留槽２０の底面には適宜開口率で小孔２０ｃを形成し、降雨により覆土層２２を通過して貯留槽２０内に一時貯留された雨水が小孔２０ｃ及び浸透調節層１６を通じて順次所定水量で廃棄物１４内に浸透させるようにした。【選択図】　　　図１
2004073907.tif 000002
【特許請求の範囲】
【請求項１】
廃棄物処分場において、埋立完了した廃棄物の上面を覆う所定厚み、かつ所定透水係数の浸透調節層と、浸透調節層上に設置された雨水貯留槽と、貯留槽上を覆う最終覆土層とを備え、
前記貯留槽の底面には適宜開口率で小孔を形成し、降雨により前記覆土層を通過して貯留槽内に一時貯留された雨水が小孔及び浸透調節層を通じて順次所定水量で前記廃棄物内に浸透させるようにしたことを特徴とする廃棄物処分場における雨水浸透調節方法。
【請求項２】
前記浸透調節層と貯留槽との間には、水を均一に拡散させるための透水層が介在されていることを特徴とする請求項１に記載の廃棄物処分場のおける雨水浸透調節方法。
【請求項３】
前記貯留槽内には余剰水を外部に排出する手段が設けられていることを特徴とする請求項１または２に記載の廃棄物処分場における雨水浸透調節方法。
【請求項４】
前記貯留槽の上面と覆土層とを画成するとともに、覆土層を通じて雨水を貯留槽内に取込む手段を設けたことを特徴とする請求項１〜３のいずれかに記載の廃棄物処分場における雨水浸透調節方法。
【発明の詳細な説明】
【０００１】
【発明の属する技術分野】
本発明は、埋立を終えた廃棄物処分場に対して、雨水による浸透調節を行う方法に関する。
【０００２】
【従来の技術】
大規模な管理型廃棄物最終処分場において、屋根がない場合には、廃棄物の埋立中、雨水は全て埋立地に入り、蒸発分以外は全て汚水分である浸出水となり、浸出水量の処理などの管理ができなくなるため、埋立中は埋立地に屋根などの被覆施設を設けることが多く行われてきた。
【０００３】
ところで、廃棄物の安定化のためには、適度の雨水が必要であるため、撒水により水量を調整していた。つまり、廃棄物の生物学的分解のためには、適度な水を常に供給することが必要であるためである。
【０００４】
ところが、埋立完了後においては、最終覆土を行うことで、撒水調節ができなくなってしまうため、従来では図２に示すように、廃棄物埋立地１の上部にサンドマット２を施工し、その内部に人工降雨装置の多孔配管３を埋設し、サンドマット２の上部を通気性遮水シートや瓦状に布設された遮水層４で覆うとともに、最終覆土５により表面を被覆し、さらに必要に応じて上部を緑化することが行われている。
【０００５】
通気性遮水シートや瓦状に布設された遮水層４は廃棄物内部における微生物分解に伴う発生ガスを放散させるとともに、降雨を遮断する目的でなされ、専ら人工降雨装置からの供給水量により、廃棄物内部の生物学的分解を継続できるようにしていた。
【０００６】
【発明が解決しようとする課題】
しかしながら、この方法では、廃棄物に対する生物分解が完全に終息するまでには長い時間を必要とするため、経年により装置の配管３が水垢などで閉塞するなどの課題があるほか、水量調節などの給水管理に課題があった。
【０００７】
本発明は以上の課題を解決するためになされたものであり、その目的は、自然降雨による水を溜めつつ、常時適正水量で廃棄物埋立地内に供給できるようにした廃棄物処分場の雨水浸透調節方法を提供するものである。
【０００８】
【課題を解決するための手段】
前記目的を達成するために、本発明の雨水浸透調節方法は、廃棄物処分場において、埋立完了した廃棄物の上面を覆う所定厚み、かつ所定透水係数の浸透調節層と、浸透調節層上に設置された雨水貯留槽と、貯留槽上を覆う最終覆土層とを備え、前記貯留槽の底面には適宜開口率で小孔を形成し、降雨により前記覆土層を通過して貯留槽内に一時貯留された雨水が小孔及び浸透調節層を通じて順次所定水量で前記廃棄物内に浸透させるようにしたことを特徴とする。従って、本発明方法にあっては、廃棄物に対する雨水の浸透量は浸透調節層の透水係数及び厚み、貯留槽内に一時貯留される雨水の水頭高さ、及び小孔の開口率をパラメータとして、雨水の廃棄物内部への浸透量が一意的に定るため、常時一定量の水を廃棄物内に供給し続けることが可能となる。
【０００９】
請求項２に記載の発明では、前記浸透調節層と貯留槽との間には、水を均一に拡散させるための透水層が介在されていることにより、廃棄物各部への水分供給を均一に行うことができる。
【００１０】
請求項３に記載の発明では、　前記貯留槽内には余剰水を外部に排出する手段が設けられていることにより、水圧を一定に保持し、また集中豪雨などにおける大量降雨にも対応できる。
【００１１】
請求項４に記載の発明では、前記貯留槽の上面と覆土層とを画成するとともに、覆土層を通じて雨水を貯留槽内に取込む手段を設けたことにより、降雨時における貯水量を十分に確保できる。
【００１２】
【発明の実施の形態】
以下、本発明の好ましい実施の形態につき、添付図面を参照して詳細に説明する。
【００１３】
図１は本発明方法を適用した廃棄物処分場の跡地である。この廃棄物処分場１０は、隔壁１２で囲われた内部に廃棄物１４が埋立られており、敷き均しなどにより整地された埋立廃棄物１４の上面全体を所定厚みの土層、不織布等からなる浸透調節層１６により覆っている。浸透調節層１６の上面には透水層１８を介して雨水貯留槽２０が設置されており、この貯留槽２０の上面全体を最終覆土２２で覆っている。なお、図示省略するが、覆土２２上に必要に応じて緑化してもよい。また、図では水平面として描かれているが、貯留槽２０及び覆土２２とも処分場１０の周縁に向けてわずかに傾斜する勾配を設けてもよい。また、貯留槽２０は、複数を並設されるものであってもよい。
【００１４】
浸透調節層１６は、雨水浸透量を調整するために設けられたものであり、この浸透調節層１６の役割と、雨水浸透流量との関係は後述する。透水層１８は、不織布などの透水性の高い素材からなるものであり、浸透調節層１６に対する水供給を均一に拡散するために設けられている。
【００１５】
雨水貯留槽２０は、用地全面に設置されるもので、縦横複数の仕切壁２０ａで複数の格子状に仕切られており、さらにはその底板２０ｂには適宜の開口率で多数の小孔２２ｃを形成し、これの内部に溜められた水を小孔２２ｃを通じて透水層１８に均一に浸潤させた状態で、浸透調節層１６を通じて廃棄物１４側に浸透させるようにしている。
【００１６】
貯留槽２０の内部には複数の孔あき管２４が各仕切壁２０ａを貫通して配管され、その端部を最外郭の仕切板２０ａの側面に突出させ、隔壁１２に沿って配管された排水溝２６上にその排水口を対向位置させている。
【００１７】
孔あき管２４の外部突出端２４ａには常閉型のバルブ２８が設けられている。また排水口の高さは前記貯留槽２０の天端と同じ高さに設定されている。
【００１８】
これは、例えば予測し得ないような集中豪雨に対応させたもので、豪雨があった場合には、前記貯留槽２０の周囲からから水を溢流させて排水溝２６に流すと同時に、前記バルブ２６を開けることで、孔あき管２４を通じて貯留槽２０の内部の水を効率よく排出するためのものである。
【００１９】
なお、図ではバルブ２６を手動操作型としているが、電磁バルブとし、雨量計などと連動させて、所定の降雨量以上の降雨があった場合には自動的に開くような構成とすることもできる。また、排水口の高さを貯留槽２０の底部高さ付近とすることにより、浸透量を軽減することができる。
【００２０】
さらに、貯留槽２０の内部には前記覆土２２との画成手段として、空隙率の大きな砂礫３０が充填されているとともに、貯留槽２０の上面はネット３２で覆われ、覆土２２の貯留槽２０内への流入を防止しつつ雨水のみをこれの内部に取入れて砂礫２８間の空隙に貯蔵する。
【００２１】
なお、図中符号３４は、貯留槽２０の周囲に設けられた仕切板であり、この仕切板３２は雨水の貯留槽２０周縁からのオーバーフロー時において、流出する水の洗堀作用による覆土２２の流失を防止する。
【００２２】
以上の構成において、廃棄物１４に対する雨水の浸透流量Ｑは以下の数式で表される。
Ｑ＝ＫｉＡｔ
但し、Ｋ：浸透調節層１６の透水係数
ｉ＝Ｈ／ｄ（図１参照）：最大水頭高さ／浸透調節層１６の厚み
Ａ：小孔２２ｃの開口面積
ｔ：時間
【００２３】
したがって、当該処分場１０に対する時間当りの最大浸透流量（Ｑ／ｔ）の適正値を判定することにより、透水係数既知の浸透調節層１６の厚み、貯留槽２０の最大高さ、小孔２０ｃの開口率が定まり、これらの値をパラメータとして適正値に設定できることになるのである。
【００２４】
なお、以上の実施形態では、貯留槽２０上面と覆土２２とを画成する手段として、砂礫３０及びネット３２の双方を用いたが、覆土２２の土圧に抗し、また土砂流入を防止できるのであればいずれか一方でもよい。さらに、遮水層１８の材質として浸透調節層１６の働きもさせるものとすることにより、遮水層１８が浸透調節層を兼用することができる。
【００２５】
【発明の効果】
以上の説明により明らかなように、本発明による廃棄物処分場における雨水浸透調節方法によれば、自然降雨による水を溜めつつ、常時適正水量で廃棄物埋立地内に供給できる。
【図面の簡単な説明】
【図１】本発明方法を適用した埋立済廃棄物処分場の断面図である。
【図２】従来方法による埋立済廃棄物処分場の断面図である。
【符号の説明】
１０　廃棄物処分場
１４　廃棄物
１６　浸透調節層
１８　透水層
２０　貯留槽
２０ｃ　小孔
２２　最終覆土
２４　多孔管（余浄水排出手段）
３０，３２　画成手段（３０　砂礫、３２　ネット）
【図１】
2004073907.tif 000003
【図２】
2004073907.tif 000004